(57)【要約】【課題】  大袈裟なサーバーなどを使わずに、安価かつ簡単に集団の構成員管理方法、例えば観光バスの乗客管理などの方法を提供する。【解決手段】  集合と解散のイベントを持つ母集団の構成要員に対して、少なくとも携帯電話機などのアクセス手段と本人確認データーを属性データーとして暗号化して、これからＱＲコードを生成する。このＱＲコードをカードなどの可搬媒体に印刷して、可搬媒体表示を可能とする。前記母集団が解散する時と再集合した時に各構成要員の所持する前記可搬媒体にて表示したＱＲコードを前記携帯電話機とは別のカメラ付き携帯電話機のカメラで読み取る。更に、暗号をデコーディングしたデーターと解散時と再集合時に生成した属性データーを前記カメラ付き携帯電話機で一覧表示する。【選択図】  図１
2006344116.tif 000002
【特許請求の範囲】
【請求項１】
集合と解散のイベントを持つ母集団の構成要員に対して、少なくとも携帯電話機などのアクセス手段と前記構成員の本人確認データーを基本属性データーとして持つＱＲコードを生成し、このＱＲコードを可搬媒体にて表示可能とし、前記母集団のイベントの発生タイミングで、前記ＱＲコードを読むようにしたカメラ付き携帯電話機とＱＲコードを使ったデーターベース管理方法において、前記ＱＲコードは暗号化されていて、紐付けされた読み取り用カメラ付き携帯電話機の特定固有データーを使わなければ解読できないこと、前記ＱＲコードの中に前記構成要員のアクセス手段データーが含まれていること、前記カメラ付き携帯電話機がＱＲコードを読む度に前記ＱＲコードデーターに読み取り時刻と共に新しい属性データーを付加することを特徴とするカメラ付き携帯電話機携帯電話機とＱＲコードを使ったデーターベース管理方法。
【請求項２】
前記母集団が２階層以上の構造を持つ複数の小集団で構成され、この小集団の属性データーが前記可搬媒体に書き込まれたＱＲコードに含まれることを特徴とする携帯電話機とＱＲコードを使ったデーターベース管理方法。
【請求項３】
複数のカメラ付き携帯電話機を使い、これらカメラ付き携帯電話機にて蓄積されたデーターベースを前記カメラ付き携帯電話機からセンターのコンピューターに送信する際に、前記カメラ付き携帯電話機の特定固有データーを使って暗号化してから送信することを特徴とする請求項１又は請求項２に記載の携帯電話機とＱＲコードを使ったデーターベース管理方法。
【発明の詳細な説明】
【技術分野】
【０００１】
本発明は、カメラ付き携帯電話機とＱＲコードを使って安価かつ簡単にデーターベース管理をする方法に関する。
【背景技術】
【０００２】
例えば、観光バスで旅行する時に、観光名所などで途中下車して休憩をとる場合に、運転手あるいはバスガイドが降車前に人数を確認して、休憩後にバスに戻った時点で再度人数を数えて全員が乗車したかどうかを確認する。ここで降車前の人数と再乗車した人数が一致すればよいが、人数が足りない場合には、誰が戻っていないのか確認するのが大変である。このような場合に、例えばＩＣカードを使って降車前に各人のＩＣカードの内容を読み込んでリストを作成したり、また簡易的にはあらかじめ個人データーを紐付けしたバーコードをバーコードリーダで読み込んだりする方法が提案されている。
【０００３】
例えば、出欠管理としては、大学などにおいて、学生を特定する学生ＩＤ情報が記憶された記憶手段を有するＩＣカードと、ＩＣカードをホルダーケース本体に挿入するカード挿入口と、カード挿入口から挿入されたＩＣカードの学生ＩＤ情報を送信用の情報に変換する変換手段と、変換された送信用の情報を送信する送信手段とを有するＩＣカードリモコンホルダーと、ＩＣカードリコモンホルダーから送信された情報を受信する受信装置と、受信装置で受信された情報に基づいて学生の授業への出欠情報を記憶する記憶手段とを有する出欠管理コンピュータが知られている。（特許文献１）
【０００４】
また、塾生管理システムとして、塾側及び家庭側電話機の電話番号が登録されたＩＣカードと、ＩＣカードの電話番号を読み取って自動発信するとともに、表示機能を有する塾側及び家庭側電話機と、塾側電話機に接続された塾生に関するデーターを管理するデーターベースサーバーとを備えたシステムも知られている。（特許文献２）
【０００５】
更に、ＱＲコードの使い方として、名刺に記される二次元コードとしてのＱＲコードに名刺情報を符号化して埋めこみ、前記ＱＲコードを印刷した名刺をススキャナで中央演算装置に取り込み、前記ＱＲコードを解読してＡＳＣＩＩコードに変換して電子化することによりデーターベースへの登録を容易化する技術も開示されている。（特許文献３）
【０００６】
【特許文献１】特開２００２−１４０６６８
【特許文献２】特開２００２−２６１９６９
【特許文献３】特開２００３−１５４７７４
【発明の開示】
【発明が解決しようとする課題】
【０００７】
解決しようとする課題は、大袈裟なサーバーなどを使わずに、安価かつ簡単に集団の構成員管理方法、例えば観光バスの乗客管理などの方法を提供することにある。
【０００８】
特許文献１においては、学生ＩＤ情報の記憶手段としてＩＣカードを使っている。しかし、ＩＣカードを使うとＩＣカード（発行処理を含めると１０００円前後）のコストが高く、更にＩＣカードリモコンホルダも必要となるとかなり高価なシステムとなり、結局はこれらの費用を学費などに上乗せすることになる。しかし、費用対効果の点でこの種のアプリケーションは世間的に評価されていないので、この分野におけるＩＣカードは普及していない。
【０００９】
特許文献２においては、塾生に持たせるＩＣカードはさほど高機能ではなく、価格的には安いＩＣカードと考えられるが、ＩＣカードを読むことにより塾到着や降園を認識して公衆回線を通して家庭に自動発信する装置や、データーベースサーバーを用意しないと使えないのでシステムとしては高価なシステムになってしまう。また、ＩＣカードに代えて携帯電話機を使う提案もあるが、携帯電話機のＳＩＭカードにアプリケーションを搭載しても、前記自動発信装置やデーターベースサーバーは依然として必要になるのでシステムが高価な点は変わらない。
【００１０】
特許文献３においては、名刺情報をＱＲコードに変換して名刺上に印刷することによりＰＣに接続したスキャナーなどでＱＲコードを読み取り、コード変換すると名刺情報がＰＣなどに取り込めるようにはなるが、バーコードに比べてデーター量が増えるだけで、このまま観光バスの員数管理に使えるといったような利便性は無い。
【課題を解決するための手段】
【００１１】
本発明は、上記を鑑みて、普及が進み安価になったカメラ付き携帯電話機とＱＲコードを組み合わせることにより、安価かつ簡単に集団の構成要員が管理できる方法を提供するものである。
【００１２】
請求項１にある発明では、集合と解散のイベントを持つ母集団の構成要員に対して、少なくとも携帯電話機などのアクセス手段と前記構成員の本人確認データーを基本属性データーとして持つＱＲコードを生成し、このＱＲコードを可搬媒体にて表示可能とし、前記母集団のイベントの発生タイミングで、前記ＱＲコードを読むようにしたカメラ付き携帯電話機とＱＲコードを使ったデーターベース管理方法において、前記ＱＲコードは暗号化されていて、紐付けされた読み取り用カメラ付き携帯電話機の特定固有データーを使わなければ解読できないようにし、前記ＱＲコードの中に前記構成要員のアクセス手段データーが含まれているようにし、前記カメラ付き携帯電話機がＱＲコードを読む度に前記ＱＲコードデーターに読み取り時刻と共に新しい属性データーを付加するようにした。
【００１３】
これにより、大袈裟なシステムを用意しなくとも、ＱＲコードが表示出来る可搬媒体と、ＱＲコードが読めるカメラ付き携帯電話機があれば、簡単に特定母集団の構成要員の集合・解散時に迅速な点呼をとることが可能になる。しかも、読み取りに使うカメラ付き携帯電話機を特定しているので、万が一他のカメラ付き携帯電話機でＱＲコードを読まれても個人情報が流出することは無い。これは、例えばツアー旅行の観光バス、幼稚園の通園バス、小中学校などの修学旅行などが好適な利用機会となる。
【００１４】
前記の暗号化に使う暗号カギは、ＱＲコードを読むカメラ付き携帯電話機のアプリケーション内に不表示形式（例えばコンパイル）で埋めこんでも良いし、前記カメラ付き携帯電話機の特定固有データーそのもの或いは加工データーを使っても良い。
【００１５】
また請求項２における発明では、前記母集団が２階層以上の構造を持つ複数の小集団で構成され、この小集団の属性データーが前記可搬媒体に書き込まれたＱＲコードに含まれるようにした。
【００１６】
これは、例えば数台のバスで旅行する時などにおいて、観光地で途中休憩して再集合した時に、あらかじめ決められた号車とは違うバスに乗った構成員がいた場合などに、解散時のバス番号が新たな属性データーとしてカメラ付き携帯電話にデーター生成される。また再集合した時には別の属性データーが生成される。これらＱＲコードでリンクしたデーターを前記カメラ付き携帯電話機で集計する場合に、階層の属性を使うことにより簡単に個別及び全体の構成員の点呼が確認できるようになる。
【００１７】
更に請求項３における発明では、複数のカメラ付き携帯電話機を使い、これらカメラ付き携帯電話機にて蓄積されたデーターベースを前記カメラ付き携帯電話機からセンターのコンピューターに送信する際に、前記カメラ付き携帯電話機の特定固有データーを使って暗号化してから送信するようにした。この場合も、ＱＲコードの解読と属性の付加はカメラ付き携帯電話で行うので、幼稚園などに置く幼稚園サーバーは少なくともデーターベース機能を持っていれば良いので、大袈裟なサーバーシステムではなく、簡単なシステムで十分である。
【００１８】
これにより、ＱＲコードに個人情報が含まれていたとしても、安心してデーター通信が出来るので、データーの利用範囲が広がる。例えば幼稚園の幼稚園バスで決められた運行ルートで園児を次々と載せて巡回する場合に、カメラ付き携帯電話機を使って園児の属性データーが入ったＱＲコードが表示可能な可搬媒体からＱＲコードを読み込み、それを幼稚園に転送することにより幼稚園では現在時の乗車状況が把握でき、保護者などからの問い合わせにも迅速に回答が可能となり、また下車時に前記カメラ付き携帯電話で前記可搬媒体からＱＲコードを読み込むことにより確実に園児が幼稚園に到着したという証拠のデーターを生成することが出来るようになる。
【００１９】
本発明の携帯電話機とＱＲコードを使ったデーターベース管理方法は、集合と解散のイベントを持つ母集団の構成要員に対して、少なくとも携帯電話機などのアクセス手段と本人確認データーを属性データーとしてリンクさせたＱＲコードを使うことにより、カメラ付き携帯電話機だけでも前記母集団の構成要員管理が出来て、しかも再集合時に不足する構成要員がいる場合には前記カメラ付き携帯電話機で簡単に点呼照合ができて、属性データーとして記録されている携帯電話機などの呼出手段を使って即座に不足構成要員と連絡をとることが出来る。
【００２０】
なお、ＱＲコードとカメラ付き携帯電話機を使った類似の用途としては、観光バス、幼稚園送迎バス、修学旅行、などに限定されず、例えば、各種工場におけるパート社員を含むライン労働者の出退勤、建築現場などにおける日雇い労働者の出退勤、芸能関係の撮影現場のアルバイトを含むスタッフの出退勤、イベント会場におけるコンパニオンの出退勤、各種飲食店の出退勤なども考えられ、更にはイベント入場者のイベントブースでのＱＲコード活用も考えられる。
【発明を実施するための最良の形態】
【００２１】
【実施例１】
【００２２】
本発明における実施例１を図１から図５に示す。図１は観光バスにおけるＱＲコードとカメラ付き携帯電話機の利用プロトコル、図２はカメラ付き携帯電話機でＱＲコードを読み取った直後の画面とアプリケーションを介して解読後の画面を示す図、図３は休憩時の解散前にＱＲコードを読み取る図、図４は休憩後の再集合時にＱＲコードを読み取る図、図５は休憩前の解散時と再集合時に読み取ったＱＲコードで生成した属性２と属性３の一覧表による照合の図を示している。
【００２３】
図１において、観光バスのツアーを例にして説明する。まず、観光バスに観光客が乗り込む際に、“乗車時読み取り”ステップ１にて、バスガイドが各人に渡してあるＱＲコード入りの乗車券のＱＲコードを前記カメラ付き携帯電話機で読み取る。次に“属性１の生成”ステップ２にて、読み取られた前記ＱＲコードのデーターとは別に、前記カメラ付き携帯電話機内部にインストールしたアプリケーションで読み取り時刻と共に属性１を生成し、前記カメラ付き携帯電話機の内部に蓄積する。更に“予約リストとの照合”ステップ３にて、この蓄積データーとあらかじめインターネットなどで受け付けた予約者リストと照合して出欠を確認する。ここで、もし予約リストにあった名前の参加予定者が該観光バスに搭乗しなかった場合は、“本社などへの連絡”ステップ４にて業務規定で決められた報告をする。次に、当日の参加者が確定した時点で、“バス発車”ステップ５で観光ツアーが開始される。
【００２４】
この観光ツアーにおける途中観光地での休憩がある場合は、各参加者が下車する前に“途中休憩読み取り”ステップ６にて下車する参加者全員の可搬媒体からＱＲコードを読み取る。この読み取られたデーターから、“属性２の生成”ステップ７にて、前記カメラ付き携帯電話機の内部で読み取り時刻と共に属性２が生成される。ここで、前記観光バスに残った参加者の前記ＱＲコードを読み取ることにより、全員分の属性２（下車した参加者とバスに残った参加者）が生成され、確認のために“属性１と属性２の比較”ステップ８にて、漏れがないことを確認し、もし何らかの原因で属性１が生成されながら属性２の無い、つまりステップ６で前記ＱＲコードを読んでいない不明な参加者がいる場合には“本社などへの連絡”ステップ４にて業務規定で決められた報告をする。“属性１と属性２の比較”ステップ８にて、全員の属性１と属性２の確認がとれた後、休憩時間が終わり、下車した参加者が前記観光バスに戻って来た時に、“再集合時読み取り”ステップ９で再搭乗する参加者の前記ＱＲコードを読み取り、“属性３の生成”ステップ１０で、観光バスに戻って来たことを意味する属性３を生成する。
【００２５】
ここで、前記カメラ付き携帯電話機を使って“属性２と属性３との比較”ステップ１１を実施し、もし属性２で途中下車の属性を持ちながら属性３の記録が無い参加者、つまり休憩で下車して戻って来ていない参加者がいた場合には、“属性２の生成”ステップ２で生成した基本属性データーに含まれる携帯電話番号を使って呼び出すことができる。もし携帯電話機を使って呼び出しても応答が無い場合には、事故の可能性もあるので、“警察などへの捜索依頼”ステップ１３で最寄りの警察に連絡して捜索を依頼する。しかし、もし全員の帰車が確認できた場合には、“バス発信”ステップ１４にて再びバスを運行する。途中の休憩地が複数ある場合には、“バス発信”ステップ１４から“途中休憩読み取り”ステップ６に戻り、“バス発信”ステップ１４までのプロセスを繰り返す。
【００２６】
更に、バスが最終地に到着した時点で、“最終地到着、下車時に読み取り”ステップ１５にて、参加者が下車する時に前記ＱＲコードを読み取る。読み取りが終了すると、“属性４の生成”ステップ１６にて、前記カメラ付き携帯電話機が最終下車の属性である属性４を生成する。
【００２７】
最後に、“最終確認による業務終了”ステップ１７にて、全ての参加者に前記カメラ付き携帯電話機で読み取り時刻と共に生成しされた属性４データーが一覧表に入力されていることを確認して観光バスの参加者管理業務を終了する。
【００２８】
図２は、前記カメラ付き携帯電話機を使った属性データーの生成を説明する図である。可搬媒体であるＱＲコードを印刷したＩＤカード１８にはＱＲコード１９が印刷されている。前記ＱＲコード１９をカメラ付き携帯電話機２０に設けられたカメラ２１で撮影することにより、前記カメラ付き携帯電話機２０の表示画面２２にＱＲコード２３が表示され、更に前記カメラ付き携帯電話機２０に内蔵したアプリケーション２４にて前記ＱＲコードが解読される。この時、アプリケーション２４は前記カメラ付き携帯電話機２０の特定固有データー２０ａ、この例では０８０−６５４３２１という電話番号、を使って暗号を解読し、前記カメラ付き携帯電話機の表示部２２に暗号化される前の基本属性データーと新規に生成された属性データーを併記した、ＱＲコードの解読データーとカメラ付き携帯電話機によって付加された属性データー２５を表示する。
【００２９】
図３は、先に概略説明した図１の“途中休憩読み取り”ステップ６の詳細説明図である。ここで、バスの乗客２６が途中休憩でバスを降りる前に、バスの乗務員あるいはバスガイドが前記カメラ付き携帯電話機２０で、ＱＲコードが印刷された可搬媒体、ＱＲコードを印刷したＩＤカード１８、のＱＲコードを撮影する様子を示したのが図３（ａ）である。この時、まず前記カメラ付き携帯電話機２０内にインストールしてあるアプリケーションを起動し、その後、カメラ付き携帯電話２０で図３（ｂ）にあるようなＱＲコードを撮影すると、前記カメラ付き携帯電話機２０の画面には図３（ｂ）のＱＲコードが表示されて正常処理を通知するマークが画面に出る。次々にＱＲコードを撮影し、全員分の撮影が終了した時点で前記アプリケーションのモードを撮影モードからデーター表示モードに変更すると、図３（ｂ）のＱＲコードから、前記カメラ付き携帯電話機２０の特定固有データー２０ａを使って暗号を解き、図３（ｃ）のように、ＱＲコードから読み込んだ基本属性としての、ＱＲコードから読み取った氏名データー２８、ＱＲコードから読み取った携帯電話番号データー２９、に追加して、新たに前記カメラ付き携帯電話機２０によって生成された、カメラ付き携帯電話機により生成された休憩解散時の属性２データー３０が付加された一覧表が前記カメラ付き携帯電話機２０の画面に表示される。
【００３０】
ここで、図３（ａ）のＱＲコードの連続撮影においては、携帯電話機のＣＰＵ速度が十分に速い場合は、逐次ＱＲコードを暗号解読しても良いが、全体の処理速度を短くするには、ＱＲコードのデコーディング（暗号されたままのＡＳＣＩＩデーターに変換）をして、後でまとめて暗号処理をする方法や、ＱＲコードをビジュアルデーター（写真）として次々にカメラ付き携帯電話機に取り込んで、後からＱＲコードのデコーディングと暗号処理を行う方法も考えられる。
【００３１】
図４は、先に概略説明した図１における“再集合時読み取り”ステップ９の詳細図である。ここで、休憩場所にてバスから下車したバスの乗客２６が休憩から戻ってきた時に、バスの乗務員あるいはバスガイドが前記カメラ付き携帯電話機２０でＱＲコードを印刷したＩＤカード１８のＱＲコードを撮影する様子を示したのが図４（ａ）である。この時、まず前記カメラ付き携帯電話機２０内にインストールしてあるアプリケーションを起動し、その後、カメラ付き携帯電話２０で図４（ｂ）にあるようなＱＲコードを撮影すると、前記カメラ付き携帯電話機２０の画面には図４（ｂ）のＱＲコードが表示されて正常処理を通知するマークが画面に出る。次々にＱＲコードを撮影し、全員分の撮影が終了した時点で前記アプリケーションのモードを撮影モードからデーター表示モードに変更すると、図４（ｂ）のＱＲコードから、前記カメラ付き携帯電話機２０の特定固有データー２０ａを使って暗号を解き、図４（ｃ）のように、ＱＲコード２３から読み込んだ、ＱＲコードから読み取った氏名データー２８、ＱＲコードから読み取った携帯電話番号データー２９、に追加して、カメラ付き携帯電話機により生成された休憩終了時の属性３である照合データー３４が付加された一覧表が前記カメラ付き携帯電話機２０の画面に表示される。
【００３２】
ここで、図４（ａ）のＱＲコードの連続撮影においては、バスに乗り込むタイミングでの撮影なので、前記図３（ａ）の時のように休憩時間の降車時ほどいそいで撮影する必要は無いので、逐次ＱＲコードを暗号解読して属性データーをひとつひとつ生成しても良いが、全体の処理速度を短くするには、ＱＲコードのデコーディング（暗号されたままのＡＳＣＩＩデーターに変換）をして、後でまとめて暗号処理をする方法や、ＱＲコードをビジュアルデーター（写真）として次々にカメラ付き携帯電話機に取り込んで、後からＱＲコードのデコーディングと暗号処理を行う方法も考えられる。
【００３３】
図５は、前に概略説明した図１の“属性２と属性３の比較”ステップ１１を説明する図である。図５（ａ）のように、観光バスの乗客２６が全員集合した時点で、アプリケーション２４を切替えて、“一覧表生成“モードにする。このモードでは、図３（ｃ）と図４（ｃ）では別々に表示されていた属性２と属性３を基本属性と共に一覧表示する。つまり、図３（ｃ）の乗車時のＱＲコード解読データーと属性３の一覧表２７にあるカメラ付き携帯電話機により生成された休憩解散時の属性２データー３０と、図４（ｃ）の属性１〜３と照合結果の表３１が、図５（ｂ）のように、ひとつの表として表示される。属性２データーと属性３データーを照合する一覧表３３には、ＱＲコード２３から属性１として読み取った氏名データー２８、携帯電話番号データー２９、に追加して、カメラ付き携帯電話機により休憩下車時に生成された属性２データー３０と休憩終了時に生成された属性３データー３２、更に照合データー３４が付加されて、前記カメラ付き携帯電話機２０のカメラ付き携帯電話機の表示部２２に一覧表示される。
【００３４】
属性２データーと属性３データーを照合する一覧表３３により、解散時に生成された属性２データー３０に◎印が付けられた乗客のうち、山田太郎さん、美空スズメさん、青空花子さん、石原有三さんの４名は再集合時に生成された属性３データー３２にも◎印が付けられているので休憩後に観光バスへ戻って来ていることが確認されるが、小泉末郎さんは、解散時に生成された属性２データー３０に◎印が付けられているのに、再集合時に生成された属性３データー３２には◎印が付けられていない。よって小泉末郎さんは再集合時間までに観光バスに戻っていないことが確認できる。この場合、図１の“携帯電話での呼出”ステップ１２にあるように、基本属性データーとしてＱＲコードから読み取った個人特定データーであるＱＲコードから読み取った携帯電話番号データー２９を使って小泉末郎さんを呼び出すことが出来る。しかし、もし前記携帯電話番号データー２９による呼び出しに応答が無い場合には、図１の“警察などへの捜査依頼”ステップ１３にあるように、警察あるいは本社などに連絡を取って行方不明であることを通報することが出来る。
【実施例２】
【００３５】
図６は、本発明の第２実施例で、幼稚園の送迎バスでの実施例である。本発明の実施例２においては、幼稚園での送迎バスへでのＱＲコードとカメラ付き携帯電話機を使った実施例を説明する。実施例２においても、ＱＲコードに個人情報が含まれていてもＱＲコードのデコーディングで読み取られるデータには個人情報と特定できる情報は認識できず、事前登録したカメラ付き携帯電話機２０の特定固有データー２０ａを使わなければオリジナルの情報が解読されないので、悪意を持った第３者が一般的なＱＲコードを読めるカメラ付き携帯電話を使っても園児の個人データーは読めないし、お迎えバス３５やお帰りバス３９からカメラ付き携帯電話機２０を使って幼稚園サーバーのデーターベース３６にデーターを送る時も暗号化が施されているので、悪意のある第３者による傍聴は出来ない仕組みになっている。
【００３６】
お迎えバス３５は、朝のお迎えに幼稚園を出発し、複数ある停留所１、２、３…で保護者に連れられた園児をピックアップする。園児がお迎えバス３５に乗車する時に、お迎え担当の保母さんなどが前記カメラ付き携帯電話機２０にて園児の持つＱＲコードを印刷したＩＤカード１８に印刷されたＱＲコード１９を撮影する。前記カメラ付き携帯電話機２０では、取り込んだＱＲコード２３み取り時刻と共に記録し、逐次前記取り込みデーターを幼稚園サーバーのデーターベース３６に送信し、“登園データーベースを生成”ステップ３７により、ほぼリアルタイムに近いタイミングで幼稚園側で園児のピックアップ状況を把握することが出来る。
【００３７】
お迎えバス３５が幼稚園に到着すると、幼稚園サーバーのデーターベース３６では、“登園データーベースを生成”ステップ３７で生成した登園データーベースをリスト化して各教室に配布することにより保育士などによる“出欠確認による照合”ステップ３８を実施する。欠席を確認する場合は、この“出欠確認による照合”ステップ３８を待たずして、“登園データーベースを生成”ステップ３７の段階において、事前登録した停留所でピックアップされなかった園児に対して電話連絡などで園児の欠席を確認することが出来る。
【００３８】
幼稚園における降園時間が来ると、お帰りバス３９が用意され、各園児は降園の途につく。この場合、園児がお帰りバス３９に乗車した時点で前記カメラ付き携帯電話機２０にて園児の持つＩＤカード１８に印刷されたＱＲコード１９を撮影する。これは図１における“属性１の生成”ステップ２に相当するもので、前記カメラ付き携帯電話機２０内に生成する基本属性リストを生成する作業である。前記カメラ付き携帯電話機２０では、取り込んだＱＲコード２３を読み取り時刻と共に記録しておく。
【００３９】
更に、各停留所で園児が下車する時にも前記カメラ付き携帯電話機２０にて園児の持つＱＲコードを印刷したＩＤカード１８に印刷されたＱＲコード１９を撮影する。これにより、各園児がお帰りバス３９を下車した時刻と共に各停留所で下車した属性が生成される。これらのデーターは、カメラ付き携帯電話機２０から幼稚園サーバーのデーターベース３６に送信され、“降園データーベースを生成”ステップ４０により、ほぼリアルタイムで園児の保護者への引き渡し確認が取れる。
【００４０】
更に、お帰りバス３９が幼稚園に帰還してから、幼稚園サーバーのデーターベース３６では“登園データーベースと降園データーベースの照合確認”ステップ４１の作業を実施することにより、登園した園児が確実に降園して保護者に引き渡しされたことを確認する。
【産業上の利用可能性】
【００４１】
ＱＲコードを表示可能な可搬媒体とＱＲコードを解読可能な事前登録したカメラ付き携帯電話機を用意するだけで安全かつ簡単にグループ管理が出来ることから、例えば観光ツアーで利用することにより大袈裟なデーターベースサーバーを用意しなくとも良いので、インフラコストが抑えて安全かつ簡易的に乗客の人事管理が出来る。例えば、観光ツアーであれば廉価な観光ツアーの提供が可能となり、観光業界での需要発掘が期待されし、幼稚園で暗号化されたデーターを受信して管理すれば、個人情報を安全に管理しながら保護者からの管理的な問い合わせに即応できるシステムが簡単に構築出来るる。
【図面の簡単な説明】
【００４２】
【図１】実施例１におけるフローチャート
【図２】実施例１におけるＱＲコード読み取りと解読例
【図３】実施例１における解散時のＱＲコード読み取り
【図４】実施例１における再集合時のＱＲコード読み取り
【図５】実施例１における属性２と３の比較
【図６】実施例２におけるデーター生成の流れ
【符号の説明】
【００４３】
１…乗車時の読み取り、２…カメラ付き携帯電話機による属性１の生成、３…予約リストと実際の乗車客員との比較、４…照合結果が合致しない場合の本社などへの報告、５…照合を受けてバスが発車、６…観光地などでの休憩下車時における下車前のＱＲコード読み取り、７…カメラ付き携帯電話機による属性２の生成、８…カメラ付き携帯電話機を使った属性１と属性２の比較、９…休憩終了後の再乗車おけるＱＲコード読み取り、１０…カメラ付き携帯電話機による属性３の生成、１１…カメラ付き携帯電話機を使った属性２と属性３の比較、１２…、携帯電話機で未乗車客員を呼び出す、１３…携帯電話機による呼び出しで連絡がつかない場合に警察などに捜索を依頼、１４…照合確認が取れた時点でバスが発車、１５…最終目的地に到着後のＱＲコード読み取り、１６…カメラ付き携帯電話機による属性４の生成、１７…カメラ付き携帯電話機による全属性の再確認、１８…ＱＲコードを印刷したＩＤカード、１９…ＩＤ情報と携帯電話番号を情報として持つＱＲコード、２０…カメラ付き携帯電話機、２０ａ…特定固有データー、２１…カメラ付き携帯電話機のカメラ部、２２…カメラ付き携帯電話機の表示部、２３…カメラ付き携帯電話機の表示部に表示されたＱＲコード、２４…カメラ付き携帯電話機のＱＲコード変換アプリケーション、２５…ＱＲコードの解読データーとカメラ付き携帯電話機によって付加された属性データー、２６…バスの乗客、２７…乗車時のＱＲコード解読データーと属性３の一覧表、２８…ＱＲコードから読み取った氏名データー、２９…ＱＲコードから読み取った携帯電話番号データー、３０…カメラ付き携帯電話機により生成された休憩解散時の属性２データー、３１…属性１〜３と照合結果の表、３２…属性３データー、３３…属性２データーと属性３データーを照合する一覧表、３４…照合データー、３５…お迎えバス、３６…幼稚園サーバーのデーターベース、３７…登園データーベース生成、３７…先生による園児の出欠確認での照合、３８…お帰りバス、３９…お帰りバスの降車時にＱＲコードを読んで降園データーベースを生成、４０…登園データーベースと降園データーベースとの照合。
【図１】
2006344116.tif 000003
【図２】
2006344116.tif 000004
【図３】
2006344116.tif 000005
【図４】
2006344116.tif 000006
【図５】
2006344116.tif 000007
【図６】
2006344116.tif 000008